【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  表面に非磁性一成分トナーを付着させて搬送するための電子写真用現像ローラにおいて、
該現像ローラは、導電性芯金、該現像ローラの表面に形成され、該非磁性一成分トナーに対する帯電付与性を有する帯電付与層、該帯電付与層よりも該導電性芯金寄りの位置に形成される弾性を有するベース層及び該ベース層と該帯電付与層との間の位置に形成される弾性中間層を有しており、
該弾性中間層を形成するための組成物の水に対する接触角が、該ベース層を形成するための組成物の水に対する接触角より小さいことを特徴とする電子写真用現像ローラ。
【請求項２】  該現像ローラは、１×１０４〜１×１０８Ωの実抵抗値を有することを特徴とする請求項１に記載の電子写真用現像ローラ。
【請求項３】  該ベース層は１×１０４〜１×１０８Ωｃｍの体積抵抗値を有することを特徴とする請求項１又は２のいずれかに記載の電子写真用現像ローラ。
【請求項４】  該弾性中間層は、１×１０４〜１×１０８Ωｃｍの体積抵抗値を有することを特徴とする請求項１乃至３のいずれかに記載の電子写真用現像ローラ。
【請求項５】  該帯電付与層は、１×１０４〜１×１０８Ωｃｍの体積抵抗値を有することを特徴とする請求項１乃至４のいずれかに記載の電子写真用現像ローラ。
【請求項６】  該現像ローラは、５０度以下のＡｓｋｅｒＣ硬度（Ｈｒ）を有することを特徴とする請求項１乃至５のいずれかに記載の電子写真用現像ローラ。
【請求項７】  該ベース層は、１５度〜５０度のＡｓｋｅｒＣ硬度（Ｈｂ）を有することを特徴とする請求項１乃至６のいずれかに記載の電子写真用現像ローラ。
【請求項８】  該弾性中間層は、２０度〜５０度のＡｓｋｅｒＣ硬度（Ｈｍ）を有することを特徴とする請求項１乃至７のいずれかに記載の電子写真用現像ローラ。
【請求項９】  該現像ローラのＡｓｋｅｒＣ硬度（Ｈｒ）と、該ベース層のＡｓｋｅｒＣ硬度（Ｈｂ）と、該弾性中間層のＡｓｋｅｒＣ硬度（Ｈｍ）とは、下記関係
Ｈｒ≧Ｈｂ、Ｈｍ≧Ｈｂ
を満足することを特徴とする請求項１乃至８のいずれかに記載の電子写真用現像ローラ。
【請求項１０】  該現像ローラのＡｓｋｅｒＣ硬度（Ｈｒ）と、該ベース層のＡｓｋｅｒＣ硬度（Ｈｂ）と、該弾性中間層のＡｓｋｅｒＣ硬度（Ｈｍ）とは、下記関係
Ｈｒ≧Ｈｍ≧Ｈｂ
を満足することを特徴とする請求項１乃至８のいずれかに記載の電子写真用現像ローラ。
【請求項１１】  該現像ローラのＡｓｋｅｒＣ硬度（Ｈｒ）と、該ベース層のＡｓｋｅｒＣ硬度（Ｈｂ）と、該弾性中間層のＡｓｋｅｒＣ硬度（Ｈｍ）とは、下記関係
Ｈｒ≧Ｈｍ＞Ｈｂ
を満足することを特徴とする請求項１乃至８のいずれかに記載の電子写真用現像ローラ。
【請求項１２】  該ベース層は、ソリッドゴム層であることを特徴とする請求項１乃至１１のいずれかに記載の電子写真用現像ローラ。
【請求項１３】  該ベース層は、シリコーンゴムを主成分とする組成物によって形成されたソリッドシリコーンゴム層であることを特徴とする請求項１２に記載の電子写真用現像ローラ。
【請求項１４】  該ベース層は、多孔質構造を有することを特徴とする請求項１乃至１１のいずれかに記載の電子写真用現像ローラ。
【請求項１５】  該ベース層は、シリコーンゴム、エチレン−プロピレン−ジエン共重合体ゴム、ウレタンゴム及びニトリル−ブタジエンゴムからなるグループから選択される１つを主成分とする組成物によって形成された発泡ゴム層であることを特徴とする請求項１４に記載の電子写真用現像ローラ。
【請求項１６】  該ベース層は、エチレン−プロピレン−ジエン共重合体ゴムを主成分とする組成物によって形成された発泡エチレン−プロピレン−ジエン共重合体ゴム層であることを特徴とする請求項１４に記載の電子写真用現像ローラ。
【請求項１７】  該弾性中間層は、エチレン−プロピレン−ジエン共重合体ゴム、ウレタンゴム及びニトリル−ブタジエンゴムからなるグループから選択される１つを主成分とする組成物によって形成されたゴム層であることを特徴とする請求項１乃至１６のいずれかに記載の電子写真用現像ローラ。
【請求項１８】  該弾性中間層は、シリコーンゴムを主成分とする組成物によって形成されたソリッドシリコーンゴム層であることを特徴とする請求項１乃至１６のいずれかに記載の電子写真用現像ローラ。
【請求項１９】  該弾性中間層は、ニトリル−ブタジエンゴムを主成分とする組成物によって形成されたソリッドニトリル−ブタジエンゴム層であることを特徴とする請求項１乃至１６のいずれかに記載の電子写真用現像ローラ。
【請求項２０】  該帯電付与層は、接着剤によって該弾性中間層に接着されていることを特徴とする請求項１乃至１９のいずれかに記載の電子写真用現像ローラ。
【請求項２１】  該帯電付与層は、非磁性一成分トナーの帯電極性と逆極性の帯電極性を有する樹脂を主成分とする樹脂層であることを特徴とする請求項１乃至２０のいずれかに記載の電子写真用現像ローラ。
【請求項２２】  該帯電付与層は、ポリアミド樹脂、アクリルウレタン樹脂、アクリルポリエステルウレタン樹脂及びアクリルシリコーン樹脂からなるグループから選択される１つを主成分とする樹脂層であることを特徴とする請求項１乃至２１のいずれかに記載の電子写真用現像ローラ。
【請求項２３】  像担持体表面に形成された静電潜像を現像するための非磁性一成分トナーを貯溜するためのトナーホッパー、及び該トナーホッパー内に貯溜されている非磁性一成分トナーを表面に付着させて搬送するための現像ローラを少なくとも有する現像装置において、
該現像ローラは、請求項１乃至２２のいずれかに記載の現像ローラであることを特徴とする現像装置。
【請求項２４】  該現像装置は、該トナーホッパーに貯溜されている非磁性一成分トナーを該現像ローラに供給するためのトナー供給ローラを有しており、該トナー供給ローラは、該現像ローラ表面に当接していることを特徴とする請求項２３に記載の現像装置。
【請求項２５】  該現像装置は、該トナーホッパーに貯溜されている非磁性一成分トナーを攪拌し、且つ該トナー供給ローラ側に搬送供給するための攪拌手段を有していることを特徴とする請求項２４に記載の現像装置。
【請求項２６】  該現像装置は、該現像ローラ上の該非磁性一成分トナーの塗布量及び帯電量を調整するための現像ブレードを有しており、該現像ブレードは、該現像ローラ表面に当接していることを特徴とする請求項２５に記載の現像装置。
【請求項２７】  該現像装置は、該現像ローラが該像担持体表面に当接するように設けられることを特徴とする請求項２３乃至２６のいずれかに記載の現像装置。
【請求項２８】  該現像ローラは、現像時に現像バイアス電圧が印加されることを特徴とする請求項２７に記載の現像装置。
【請求項２９】  該現像バイアス電圧は、直流のバイアス電圧であることを特徴とする請求項２８に記載の現像装置。
【請求項３０】  該現像ローラは、該像担持体の表面と速度差を有するように回転していることを特徴とする請求項２７乃至２９のいずれかに記載の現像装置。
【請求項３１】  該非磁性一成分トナーは、ＳＦ−１が１００〜１６０及びＳＦ−２が１００〜１４０の形状係数を有することを特徴とする請求項２３乃至３０のいずれかに記載の現像装置。
【請求項３２】  該非磁性一成分トナーは、４０〜９０℃の融点を有するワックスを主体とするコアを樹脂を主体とするシェルで被覆したコア／シェル構造を有することを特徴とする請求項２３乃至３１のいずれかに記載の現像装置。
【請求項３３】  該非磁性一成分トナーには、外添剤が外添されていることを特徴とする請求項２３乃至３２のいずれかに記載の現像装置。
【請求項３４】  該外添剤は、疎水性無機微粉体を有することを特徴とする請求項３３に記載の現像装置。
【請求項３５】  画像形成装置本体に脱離可能に装着される装置ユニットにおいて、
該装置ユニットは、像担持体表面に形成された静電潜像を現像するための非磁性一成分トナーを貯溜するためのトナーホッパー、及び該トナーホッパー内に貯溜されている非磁性一成分トナーを表面に付着させて搬送するための現像ローラを少なくとも有しており、
該現像ローラは、請求項１乃至２２のいずれかに記載の電子写真用現像ローラであることを特徴とする装置ユニット。
【請求項３６】  該装置ユニットは、該トナーホッパーに貯溜されている非磁性一成分トナーを該現像ローラに供給するためのトナー供給ローラを有しており、該トナー供給ローラは、該現像ローラ表面に当接していることを特徴とする請求項３５に記載の装置ユニット。
【請求項３７】  該装置ユニットは、該トナーホッパーに貯溜されている非磁性一成分トナーを攪拌し、且つ該トナー供給ローラ側に搬送供給するための攪拌手段を有していることを特徴とする請求項３６に記載の装置ユニット。
【請求項３８】  該装置ユニットは、該現像ローラ上の該非磁性一成分トナーの塗布量及び帯電量を調整するための現像ブレードを有しており、該現像ブレードは、該現像ローラ表面に当接していることを特徴とする請求項３５乃至３７のいずれかに記載の装置ユニット。
【請求項３９】  該装置ユニットは、該現像ローラが該像担持体表面に当接するように設けられることを特徴とする請求項３５乃至３８のいずれかに記載の装置ユニット。
【請求項４０】  該現像ローラは、現像時に現像バイアス電圧が印加されることを特徴とする請求項３９に記載の装置ユニット。
【請求項４１】  該現像バイアス電圧は、直流のバイアス電圧であることを特徴とする請求項４０に記載の装置ユニット。
【請求項４２】  該現像ローラは、該像担持体の表面と速度差を有するように回転していることを特徴とする請求項３９に記載の装置ユニット。
【請求項４３】  該装置ユニットは、該像担持体を一体にユニット化して有していることを特徴とする請求項３５乃至４２のいずれかに記載の装置ユニット。
【請求項４４】  該装置ユニットは、該像担持体及び該像担持体を一次帯電するための帯電装置を一体にユニット化して有していることを特徴とする請求項３５乃至４２のいずれかに記載の装置ユニット。
【請求項４５】  該像担持体は、電子写真用感光体ドラムであることを特徴とする請求項４３又は４４に記載の装置ユニット。
【請求項４６】  該非磁性一成分トナーは、ＳＦ−１が１００〜１６０及びＳＦ−２が１００〜１４０の形状係数を有することを特徴とする請求項３５乃至４５のいずれかに記載の装置ユニット。
【請求項４７】  該非磁性一成分トナーは、４０〜９０℃の融点を有するワックスを主体とするコアを樹脂を主体とするシェルで被覆したコア／シェル構造を有することを特徴とする請求項３５乃至４６のいずれかに記載の装置ユニット。
【請求項４８】  該非磁性一成分トナーは、外添剤が外添されていることを特徴とする請求項３５乃至４７のいずれかに記載の装置ユニット。
【請求項４９】  該外添剤は、疎水性無機微粉体を有する請求項４８に記載の装置ユニット。
【請求項５０】  （Ｉ）静電潜像を担持するための像担持体、該像担持体を一次帯電するための帯電装置、一次帯電された像担持体に静電潜像を形成するための露光装置、及び該静電潜像を非磁性トナーにより現像してトナー画像を形成するための現像装置を具備する複数の画像形成ユニットと、（ＩＩ）該複数の画像形成ユニットで形成されたトナー画像を転写材に順次転写するための転写装置とを有する画像形成装置において、
該現像装置は、請求項２３乃至３４のいずれかに記載の現像装置であることを特徴とする画像形成装置。
【請求項５１】  （Ｉ）静電潜像を担持するための像担持体、（ＩＩ）該像担持体を一次帯電するための帯電装置、（ＩＩＩ）一次帯電された像担持体に静電潜像を形成するための露光装置、（ＩＶ）該静電潜像を非磁性トナーにより現像してトナー画像を形成するための複数の現像装置、（Ｖ）該各現像装置で形成されたトナー像を順次転写するための中間転写体、及び（ＶＩ）該中間転写体上に転写された多重トナー画像を一括して転写材に転写するための転写装置を有する画像形成装置において、
該現像装置は、請求項２３乃至３４のいずれかに記載の現像装置であることを特徴とする画像形成装置。
【請求項５２】  （Ｉ）静電潜像を担持するための像担持体、（ＩＩ）該像担持体を一次帯電するための帯電装置、（ＩＩＩ）一次帯電された像担持体に静電潜像を形成するための露光装置、（ＩＶ）該静電潜像を非磁性トナーにより現像してトナー画像を形成するための複数の現像装置、及び（Ｖ）該各現像装置で形成されたトナー像を転写材に順次転写するための転写装置を有する画像形成装置において、
該現像装置は、請求項２３乃至３４のいずれかに記載の現像装置であることを特徴とする画像形成装置。
【手続補正２】
【補正対象書類名】明細書
【補正対象項目名】００４０
【補正方法】変更
【補正の内容】
【００４０】
本発明は、画像形成装置本体に脱離可能に装着される装置ユニットにおいて、該装置ユニットは、像担持体表面に形成された静電潜像を現像するための非磁性一成分トナーを貯溜するためのトナーホッパー、及び該トナーホッパー内に貯溜されている非磁性一成分トナーを表面に付着させて搬送するための現像ローラを少なくとも有しており、該現像ローラは、上記の本発明の電子写真用現像ローラであることを特徴とする装置ユニットに関する。